(57)【特許請求の範囲】
【請求項１】
左右方向に離間して配設された一対の脚体と、該一対の脚体を連結する連結部材とを有する基体と、
前記基体の前面側、側面側及び上面側の少なくともいずれか一に設けられた化粧部材とを備えるカウンター装置であって、
前記化粧部材は、平板状をなす化粧板部と、該化粧板部に設けられたカウンター構成要素とを有するとともに、前記基体に着脱可能に設けられ、
前記カウンター構成要素は、前記化粧板部の板厚方向に開口する物品投入用の開口部であることを特徴とするカウンター装置。
【請求項２】
請求項１に記載のカウンター装置において、
前記カウンター構成要素は、物品を載置可能とする物品載置部であることを特徴とするカウンター装置。
【請求項３】
請求項１または請求項２に記載のカウンター装置において、
前記カウンター構成要素は、前記基体よりも上方に突出する板状部材で構成された目隠し部であることを特徴とするカウンター装置。
【発明の詳細な説明】
【技術分野】
【０００１】
本発明は、カウンター装置に関するものである。
【背景技術】
【０００２】
周知のとおり、店舗等には従業員が接客対応するためのカウンター装置が設けられている。ここで、カウンター装置としては、左右方向に離間して配設された一対の脚体と、該一対の脚体の上方に架設された天板と、一対の脚体間を閉塞する幕板部材とを有するものが提案されている（下記特許文献１，２，３参照）。
【０００３】
このような構成のカウンター装置には、例えば従業員が接客する側における天板の下方に物品を収容する棚や引き出しを設けることできるため、カウンター装置として利便性が高く一般的に多用されている。
【０００４】
また、下記特許文献２に示すように、幕板から顧客側に延出する買い物籠との接触を防止するための接触防止板が設けられた構成のカウンター装置もあり、店舗等における使用態様に応じて、このような接触防止板等のオプション構成部材が適宜選択されて、取り付けられている。
【先行技術文献】
【特許文献】
【０００５】
【特許文献１】特開平９−５６５４８号公報
【特許文献２】特開２００１−３１４２９３号公報
【特許文献３】特開２００５−４１７号公報
【発明の概要】
【発明が解決しようとする課題】
【０００６】
ここで、上記の特許文献１等に記載のカウンター装置において、外観を向上させるために構成部材の全て木材で構成することも考えられる。しかし、この場合は木材が高価であるために、カウンター装置自体のコストが嵩むという問題点がある。
【０００７】
また、店舗における使用態様の変更やレイアウト変更等により、例えば既存のカウンター装置に上記に記載のオプション構成部材を納まりよく追加したい場合がある。しかしながら、既存のカウンター装置では元々該オプション構成部材の取り付けを可能とする構成ではないために、カウンター装置自体を交換する必要があった。また、外観を変更したい場合には、例えば脚体及び幕板の表面に化粧が施されたシートを貼る必要があった。いずれの場合も、製造コスト及び加工コストが嵩んでしまうという問題点がある。
【０００８】
本発明は、上記事情に鑑みてなされたものであり、コストを抑えて外観及び使用態様を容易に変更することができるカウンター装置を提供するものである。
【課題を解決するための手段】
【０００９】
上記目的を達成するために、本発明は以下の手段を採用している。
すなわち、本発明に係るカウンター装置は、左右方向に離間して配設された一対の脚体と、該一対の脚体を連結する連結部材とを有する基体と、前記基体の前面側、側面側及び上面側の少なくともいずれか一に設けられた化粧部材とを備えるカウンター装置であって、前記化粧部材は、平板状をなす化粧板部と、該化粧板部に設けられたカウンター構成要素とを有するとともに、前記基体に着脱可能に設けられ、前記カウンター構成要素は、前記化粧板部の板厚方向に開口する物品投入用の開口部であることを特徴とする。
【００１０】
このようなカウンター装置では、基体の前面側、側面側及び上面側に設けられる化粧部材が着脱可能であるため、該化粧部材を取り外して別の化粧部材を取り付けることができる。よって、カウンター装置の外観を容易に変更することができる。
また、化粧部材を交換することで使用態様に応じてカウンター構成要素を容易に変更することができるため、使用態様を容易に変更することができる。
また、基体でカウンター装置の強度を確保して化粧部材を適宜選択することにより、カウンター装置としてのコストを抑えることができる。
また、化粧部材を交換することで物品投入用の開口部を容易に設けることができる。
【００１１】
また、本発明に係るカウンター装置は、前記カウンター構成要素は、物品を載置可能とする物品載置部であってもよい。
【００１２】
このようなカウンター装置では、化粧部材を交換することで物品載置部を容易に設けることができる。
【００１３】
また、本発明に係るカウンター装置は、前記カウンター構成要素は、前記基体よりも上方に突出する板状部材で構成された目隠し部であってもよい。
【００１４】
このようなカウンター装置では、化粧部材を交換することで目隠し部を容易に設けることができる。
【発明の効果】
【００１７】
本発明に係るカウンター装置によれば、化粧部材を取り外して別の化粧部材を取り付けることができるため、コストを抑えて外観及び使用態様を容易に変更することができる。
【図面の簡単な説明】
【００１８】
【図１】本発明の第一実施形態に係るカウンター装置を前面側から見た斜視図である。
【図２】本発明の第一実施形態に係るカウンター装置を構成する基体を後面側から見た斜視図である。
【図３】本発明の第一実施形態に係るカウンター装置を構成する基体を前面側から見た斜視図である。
【図４】本発明の第一実施形態に係るカウンター装置に係る物品載置部を有する化粧部材の斜視図である。
【図５】本発明の第一実施形態に係るカウンター装置の上面を構成する一部材（天板パネル）の斜視図である。
【図６】本発明の第一実施形態に係るカウンター装置の側面を構成する一部材（サイドパネル）の斜視図である。
【図７】本発明の第二実施形態に係るカウンター装置を前面側から見た斜視図である。
【図８】本発明の第二実施形態に係るカウンター装置に係る物品載置部を有する化粧部材の斜視図である。
【図９】本発明の第三実施形態に係るカウンター装置を前面側から見た斜視図である。
【図１０】本発明の第三実施形態に係るカウンター装置に係る物品載置部を有する化粧部材の斜視図である。
【図１１】本発明の第三実施形態に係るカウンター装置に係る物品載置部を有する化粧部材の斜視図である。
【図１２】本発明の第四実施形態に係るカウンター装置を前面側から見た斜視図である。
【図１３】本発明の第四実施形態に係るカウンター装置に係る目隠し部を有する化粧部材の斜視図である。
【図１４】本発明の第五実施形態に係るカウンター装置を前面側から見た斜視図である。
【図１５】本発明の第五実施形態に係るカウンター装置に係る物品投入用の開口部を有する化粧部材の斜視図である。
【図１６】本発明の第五実施形態に係るカウンター装置に係る物品載置部を有する化粧部材の斜視図である。
【図１７】本発明の第六実施形態に係るカウンター装置を前面側から見た斜視図である。
【図１８】本発明の第六実施形態に係るカウンター装置に係る目隠し部を有する化粧部材の斜視図である。
【図１９】本発明の第七実施形態に係るカウンター装置を前面側から見た斜視図である。
【図２０】本発明の第七実施形態に係るカウンター装置に係る物品載置部を有する化粧部材の斜視図である。
【図２１】本発明の第七実施形態に係るカウンター装置に係る物品載置部を有する化粧部材の斜視図である。
【図２２】本発明に係るカウンター装置を構成する基体を用いたカウンター装置の斜視図である。
【発明を実施するための形態】
【００１９】
（第一実施形態）
以下、本発明の第一実施形態に係るカウンター装置について説明する。
ここでは、図１に示すように、カウンター装置としてスーパー等の小売店の店舗に設置され、従業員が顧客と対応するための接客用のカウンター装置を例示して説明する。
なお、図１に示す右手前側が顧客側となり前側と称し、左手奥側が従業員側となり後側と称する。また、図１に示す左手前側から右手奥側に向かう方向を左右方向と称する。
【００２０】
図１に示すように、カウンター装置１は、骨格を構成する基体２０（詳細は図２及び図３参照）と、該基体２０に設けられた化粧部材４０及びパネル部材８０，９０とを備えている。
【００２１】
（基体）
図２はカウンター装置１を構成する基体２０を従業員側から見た斜視図であり、図３はカウンター装置１を構成する基体２０を顧客側から見た斜視図である。
なお、図２では右手前側から左手奥側に向かう方向が左右方向となり、右手奥側から左手前側に向かう方向が前後方向となる。一方、図３では、図１と同様に左手前側から右手奥側に向かう方向が左右方向となり、右手前側から左手奥側に向かう方向が前後方向となる。
【００２２】
図２及び図３に示すように、基体２０は、左右方向に離間して配設された一対の脚体３０と、該一対の脚体３０を連結する連結部材５１，５２，５３と、該一対の脚体３０間に配設された棚板部材５８及び抽斗部材５９とを有している。
なお、基体２０は、本実施形態では例えば金属板で構成されている。
【００２３】
一対の脚体３０は、略矩形の平板状をなす部材であり、床面から立設するとともに左右方向に対向して配設され、その下部には上下方向の高さを調整するアジャスター３１が設けられている。
【００２４】
この脚体３０の上部には、後述するパネル部材９０固定用の第一取付穴３２が前後方向に離間して複数穿設されている。また、脚体３０の側面には、後述するパネル部材８０固定用の第二取付孔３３が前後方向及び上下方向に離間して複数穿設されている。さらに、脚体３０の側面の内方には、棚板部材５８を係合するためのスリット穴３４が上下方向に離間して複数穿設されている。
【００２５】
脚体３０の前部には、後述する化粧部材４０固定用の固定部材３５が設けられている。
固定部材３５は、上下方向に延在する断面視してＬ字状の部材であり、その前面側には前後方向に貫通する化粧部材４０固定用の貫通孔３６が上下方向に離間して複数穿設されている。
【００２６】
連結部材５１，５２，５３は、一対の脚体３０の上部を互いに連結する第一連結部材５１と、一対の脚体３０の上下方向中間部を互いに連結する第二連結部材５２と、一対の脚体３０の下部を互いに連結する第三連結部材５３とを有している。
【００２７】
第一連結部材５１は、左右方向に延在する杆状部材であり、一対の脚体３０の上部かつ後部同士を互いに連結している。この第一連結部材５１の上部には、後述するパネル部材９０固定用の第三取付孔５４が左右方向に離間して複数穿設されている。
【００２８】
第二連結部材５２及び第三連結部材５３は、ともに略矩形の平板状をなす部材である。この第二連結部材５２は一対の脚体３０の上下方向中間部を互いに連結し、第三連結部材５３は一対の脚体３０の下部を互いに連結している。
【００２９】
棚板部材５８は、略矩形の平板状をなす部材であり、側部には図示しないブラケットが設けられており、脚体３０に穿設されたスリット穴３４に係合して該脚体３０に固定されている。また、脚体３０には上下方向に複数のスリット穴３４が穿設されているため、棚板部材５８は所望の箇所に固定可能とされている。
【００３０】
抽斗部材５９は、左右一対で構成された上方が開口した箱状部材であり、図示しない前後方向に向かって設けられたレールに沿って移動可能とされ、一対の脚体３０間に配設されている。
【００３１】
（化粧部材）
図１及び４に示すように、化粧部材（以下、前面側化粧部材とする。）４０は、基体２０の前面側に設けられ略矩形の平板状をなす前面側化粧板部（化粧板部）４１と、該前面側化粧板部４１に設けられた物品載置部（以下、前面側物品載置部とする。）４２とを有している。
本実施形態では、カウンター構成要素として物品載置部が採用されている。
また、前面側化粧部材４０は、例えば木質材料で構成されている。
【００３２】
図３及び図４に示すように、前面側化粧板部４１は、基体２０の前面側の形状に対応した平板状の部材であり、その左右方向の端部が脚体３０に設けられた固定部材３５に固定されている。詳細には、固定部材３５に穿設された貫通孔３６に該固定部材３５の後方側から螺子（不図示。以下同じ。）が挿通されて、該螺子が前面側化粧板部４１に螺合されている。
このようにして、前面側化粧板部４１は脚体３０に螺子により着脱可能に設けられている。
【００３３】
前面側物品載置部４２は、略矩形の一枚の板状部材であり、前面側化粧板部４１の前面側に前方に突出するようによう設けられており、その上方に物品を載置可能としている。
【００３４】
（パネル部材）
図１に示すように、パネル部材として、本実施形態では基体２０の側面側に設けられた一対のサイドパネル８０と、基体２０の上面側に設けられた天板パネル９０とを有しており、略矩形の平板状をなしている。
なお、サイドパネル８０及び天板パネル９０は、例えば木質材料で構成されている。
【００３５】
図１、図２及び図５に示すように、サイドパネル８０は、脚体３０の左右方向外方に固定されている。詳細には、脚体３０に穿設された第二取付孔３３に該脚体３０の左右方向内方から螺子（不図示。以下同じ。）が挿通されて、該螺子が脚体３０に螺合されている。
このようにして、サイドパネル８０は脚体３０に螺子により着脱可能に設けられている。
また、サイドパネル８０は木目模様が施されている。
【００３６】
図１、図２及び図６に示すように、天板パネル９０は、脚体３０の上方及び第一連結部材５１の上方に固定されている。詳細には、脚体３０に設けられた第一取付穴３２にダボや螺子（不図示。以下同じ。）が挿通され、該ダボや螺子が天板パネル９０に固着されている。さらに、第一連結部材５１に穿設された第三取付孔５４に該第一連結部材５１の下方側から螺子（不図示。以下同じ。）が挿通されて、該螺子が天板パネル９０に螺合されている。
このようにして、天板パネル９０は脚体３０及び第一連結部材５１に螺子やダボにより着脱可能に設けられている。
【００３７】
このように構成されたカウンター装置１では、基体２０の前面側に前面側化粧板部４１を着脱可能に設けることができるため、顧客及び従業員（利用者とする。以下同じ。）の要望や配置変更に応じて前面側物品載置部４２を容易に設けることができる。
【００３８】
例えば、カウンター装置１を店舗における精算コーナーに設置した場合には、顧客は前面側物品載置部４２に手荷物等を載置して精算することができるため、利便性が高い。
【００３９】
また、基体２０は金属板で構成されているため、カウンター装置１全体としての剛性及び強度を確保することができる。よって、カウンター装置１は、棚板部材５８、天板パネル９０及び前面側物品載置部４２に載置した物品を確実に支持することができる。
【００４０】
また、前面側化粧部材４０、サイドパネル８０及び天板パネル９０は木質材料で構成されているものの基体２０は金属板で構成されているため、木質材料を多く使用する必要はなくカウンター装置１全体のコストを抑えることができる。
（第二実施形態）
以下、本発明の第二実施形態に係るカウンター装置２０１について、図７を用いて説明する。
この実施形態において、前述した実施形態で用いた部材と共通の部材には同一の符号を付して、その説明を省略する。
【００４１】
第一実施形態に係るカウンター装置１では、前面側物品載置部４２は一枚の板状部材の上方に物品を載置可能としている。一方、本実施形態に係るカウンター装置２０１では、前面側物品載置部２４２は複数の板状部材の上方に物品を載置可能としている。
【００４２】
すなわち、図８に示すように、前面側化粧部材２４０は、前面側化粧板部２４１と、該前面側化粧板部２４１に設けられた前面側物品載置部２４２とを有している。
【００４３】
前面側物品載置部２４２は、前面側化粧板部２４１の上側及び下側に配設された一対の横部材２４３と、前面側化粧板部２４１の右側及び左側に配設された一対の縦部材２４４と、一対の横部材の間に上下方向に離間して配設された複数の棚板部２４５とを有している。これら横部材２４３、縦部材２４４及び棚板部２４５は、それぞれ板状部材で構成されている。
このようにして、本実施形態では前面側物品載置部２４２は、横部材２４３及び複数の棚板部２４５の上方に物品を載置可能としている。
【００４４】
このように構成されたカウンター装置２０１では、基体２０の前面側に前面側化粧部材２４０を着脱可能に設けることができる。よって、例えば第一実施形態に係るカウンター装置１に係る前面側化粧部材４０を、第二実施形態に係る前面側化粧部材２４０に交換することができる。したがって、利用者の要望や配置変更に応じて、前面側物品載置部４２，２４２の態様を変更することができるため、利便性が高い。
【００４５】
例えば、カウンター装置２０１を店舗における精算コーナーに設置した場合には、顧客側に設けられた前面側物品載置部２４２に物品を多く陳列することができるため、使い勝手を良好とすることができる。
【００４６】
この場合は、基体２０、サイドパネル８０及び天板パネル９０は、第一実施形態に係るカウンター装置１を構成する部材のままとすることができるため、コストを抑えてカウンター装置１の外観や使用態様を変更してカウンター装置２０１を製造することができる。
【００４７】
（第三実施形態）
以下、本発明の第三実施形態に係るカウンター装置３０１について、図９を用いて説明する。
この実施形態において、前述した実施形態で用いた部材と共通の部材には同一の符号を付して、その説明を省略する。
【００４８】
第一実施形態に係るカウンター装置１では、化粧部材４０は、基体２０の前面側に設けられた前面側化粧部材４０で構成されている。一方、本実施形態に係るカウンター装置３０１では、パネル部材として、基体２０の前面側に設けられた前面側化粧部材３４０と、基体１０の上面側に設けられた上面側化粧部材３６０とを有している。
【００４９】
すなわち、図１０に示すように、前面側化粧部材３４０は、前面側化粧板部３４１と、該前面側化粧板部３４１に設けられた前面側物品載置部３４２とを有している。
本実施形態では、カウンター構成要素として物品載置部が採用されている。
【００５０】
前面側物品載置部３４２は、前面側化粧板部３４１の上部及び上下方向中間部に配設された一対の横部材３４３と、前面側化粧板部３４１の右側及び左側に配設された一対の縦部材３４４と、一対の横部材３４３の間に配設された棚板部３４５とを有している。これら横部材３４３、縦部材３４４及び棚板部３４５は、それぞれ板状部材で構成されている。
このようにして、本実施形態では前面側物品載置部３４２は、横部材３４３及び棚板部３４５の上方に物品を載置可能としている。
【００５１】
図９及び図１１に示すように、上面側化粧部材（化粧部材）３６０は、基体２０の上面側に設けられ略矩形の平板状をなす上面側化粧板部（化粧板部）３６１と、該上面側化粧板部３６１に設けられた上面側物品載置部（物品載置部）３６２とを有している。
本実施形態では、カウンター構成要素として物品載置部が採用されている。
【００５２】
図９に示すように、上面側化粧板部３６１は、天板パネル９０と同様に脚体３０の上方及び第一連結部材５１の上方に着脱可能に固定されている。
【００５３】
図１１に示すように、上面側物品載置部３６２は、上面側化粧板部３６１の右側、左側、前側からそれぞれ立設する右側立設壁部３６３と、左側立設壁部３６４と、前側立設壁部３６５と、右側立設壁部３６３、左側立設壁部３６４及び前側立設壁部３６５の上方に設けられた上壁部３６６とを有している。これら右側立設壁部３６３、左側立設壁部３６４、前側立設壁部３６５及び上壁部３６６は、それぞれ板状部材で構成されている。
【００５４】
このようにして、本実施形態では上面側物品載置部３６２は、右側立設壁部３６３、左側立設壁部３６４並びに前側立設壁部３６５で囲まれた空間部３６７の内部、及び上壁部３６６の上方に物品を載置可能としている。
【００５５】
このように構成されたカウンター装置３０１では、例えば第二実施形態に係る前面側化粧部材２４０及び天板パネル９０を、本実施形態に係る前面側化粧部材３４０及び上面側化粧部材３６０に変更することができる。よって、利用者の要望や配置変更に応じて、物品載置部２４２，３４２，３６２の態様を変更することができるため、利便性が高い。
【００５６】
例えば、カウンター装置３０１を店舗における精算コーナーに設置した場合には、顧客側に設けられた前面側物品載置部３４２に物品を見栄えよく陳列することができるため、外観を向上させることができる。
【００５７】
また、従業員が使用する文房具等の部品を上面側物品載置部３６２に載置することができるため利便性を高めることができるとともに、該部品を空間部３６７の内部に収容すれば顧客側からは見えないため見栄えを良好とすることができる。
【００５８】
（第四実施形態）
以下、本発明の第四実施形態に係るカウンター装置４０１について、図１２を用いて説明する。
この実施形態において、前述した実施形態で用いた部材と共通の部材には同一の符号を付して、その説明を省略する。
【００５９】
第一実施形態に係るカウンター装置１では、化粧部材４０は、基体２０の前面側に設けられた前面側化粧部材４０で構成されている。一方、本実施形態に係るカウンター装置４０１では、パネル部材として、基体２０の前面側に設けられた前面側化粧部材４０と、基体２０の側面側に設けられた一対の側面側化粧部材４５０とを有している。
【００６０】
すなわち、図１２及び図１３に示すように、基体２０の側面側に設けられた側面側化粧部材（化粧部材）４５０は、基体２０の側面側に設けられ略矩形の平板状をなす側面側化粧板部（化粧板部）４５１と、該側面側化粧板部４５１の上部に設けられた側面側目隠し部（目隠し部）４５２とを有している。
本実施形態では、カウンター構成要素として目隠し部が採用されている。
【００６１】
側面側化粧板部４５１は、サイドパネル８０と同様に脚体３０の左右方向外方に着脱可能に固定されている。
側面側目隠し部４５２は、基体２０よりも上方に突出した板状部材であり、本実施形態では側面側化粧板部４５１の上部に設けられている。この側面側目隠し部４５２としては、例えば型板ガラス等の不透明のガラスやポリカーボネート等の不透明な樹脂製品が採用される。
【００６２】
このように構成されたカウンター装置４０１では、例えば第一実施形態に係るサイドパネル８０を、本実施形態に係る側面側化粧部材４５０に変更することができる。よって、利用者の要望や配置変更に応じて、側面側目隠し部４５２を設けて態様の変更に対応できるため、利便性が高い。
【００６３】
例えば、複数のカウンター装置４０１が左右方向に配設された銀行等の店舗においては、側面側目隠し部４５２より、天板パネル９０の上方における書類等が、隣接するカウンター装置１の顧客からは見えない。よって、顧客のプライバシーを高めることができるため、利便性が高い。
【００６４】
（第五実施形態）
以下、本発明の第五実施形態に係るカウンター装置５０１について、図１４を用いて説明する。
この実施形態において、前述した実施形態で用いた部材と共通の部材には同一の符号を付して、その説明を省略する。
【００６５】
本実施形態におけるカウンター装置５０１では、パネル部材として、基体２０の前面側に設けられた前面側化粧部材５４０と、基体２０の側面側に設けられた側面側化粧部材５５０と、基体２０の上面側に設けられた上面側化粧部材３６０とを有している。
【００６６】
すなわち、図１４及び図１５に示すように、前面側化粧部材５４０は、基体２０に着脱可能に設けられた前面側化粧板部５４１と、該前面側化粧板部５４１に設けられた物品投入用の開口部５４２とを有している。
【００６７】
本実施形態では、カウンター構成要素として物品投入用の開口部が採用されている。
物品投入用の開口部５４２は、化粧板部５４１の板厚方向に開口した略矩形の開口部であり、該開口部５４２には蓋体５４３が設けられている。
【００６８】
蓋体５４３は、その上端が図示しないヒンジにより前面側化粧板部５４１に対して回動可能に設けられている。よって、蓋体５４３に押圧力を加えると、該蓋体５４３がその下端を後方に向けて回動して開口部５４２が開口する。また、押圧力を解くと、該蓋体５４３の自重によりその下端を前方に向けて回動して開口部５４２が閉塞する。
【００６９】
図１４及び図１６に示すように、側面側化粧部材５５０は、基体２０の側面側に着脱可能に設けられ略矩形の平板状をなす側面側化粧板部５５１と、該側面側化粧板部５５１に設けられた側面側物品載置部５５２とを有している。
【００７０】
側面側物品載置部５５２は、側面側化粧板部５５１の上側及び下側に配設された一対の横部材５５３と、側面側化粧板部５５１の前側及び後側に配設された一対の縦部材５５４と、一対の横部材５５３の間に上下方向に離間して配設された複数の棚板部５５５とを有している。これら横部材５５３、縦部材５５４及び棚板部５５５は、それぞれ板状部材で構成されている。
このようにして、本実施形態では側面側物品載置部５５２は、横部材５５３及び複数の棚板部５５５の上方に物品を載置可能としている。
【００７１】
このように構成されたカウンター装置５０１では、例えば第三実施形態に係る前面側化粧部材３４０及びサイドパネル８０を、本実施形態に係る前面側化粧部材５４０及び側面側化粧部材５５０に変更することができる。よって、利用者の要望や配置変更に応じて、前面側化粧部材３４０から前面側化粧部材５４０に態様を変更し、サイドパネル８０から側面側化粧部材５５０に態様を変更して、物品投入用の開口部５４２及び側面側物品載置部５５２を設けることができるため、利便性が高い。
【００７２】
例えば、カウンター装置５０１を店舗における精算コーナーに設置した場合には、顧客が物品投入用の開口部５４２から物品を投入することができるため、該開口部５４２をゴミ箱の投入口として利用することができ、利便性を高めることができる。
【００７３】
（第六実施形態）
以下、本発明の第六実施形態に係るカウンター装置６０１について、図１７を用いて説明する。
この実施形態において、前述した実施形態で用いた部材と共通の部材には同一の符号を付して、その説明を省略する。
【００７４】
本実施形態におけるカウンター装置６０１では、化粧部材６４０は、基体２０の前面側に設けられた前面側化粧部材６４０で構成されている。
【００７５】
すなわち、図１７及び図１８に示すように、前面側化粧部材６４０は、基体２０に着脱可能に設けられた略矩形の平板状をなす前面側化粧板部６４１と、該前面側化粧板部６４１の上部に設けられた前面側目隠し部６４２とを有している。
【００７６】
前面側化粧板部６４１は、基体２０の前面側の形状に対応した平板状の部材である。
前面側目隠し部６４２は、基体２０よりも上方に突出した板状部材であり、本実施形態では前面側化粧板部６４１に連続して上方に突出している。
また、前面側化粧板部６４１の前面には木目調の化粧材６４３が設けられている。
【００７７】
このように構成されたカウンター装置６０１では、例えば第一実施形態に係る前面側化粧部材４０を、本実施形態に係る前面側化粧部材６４０に変更することができる。よって、利用者の要望や配置変更に応じて、物品載置部４２から前面側目隠し部６４２に態様を変更することができるため、利便性が高い。
【００７８】
例えば、カウンター装置６０１を店舗における精算コーナーに設置した場合には、前面側化粧部材６４０により、顧客からは従業員の手元が見えないため、見栄えを良好とすることができる。
【００７９】
（第七実施形態）
以下、本発明の第七実施形態に係るカウンター装置７０１について、図１９を用いて説明する。
この実施形態において、前述した実施形態で用いた部材と共通の部材には同一の符号を付して、その説明を省略する。
【００８０】
本実施形態におけるカウンター装置７０１では、パネル部材として、基体２０の前面側に設けられた前面側化粧部材７４０と、基体２０の上面側に設けられた上面側化粧部材７６０とを有している。
【００８１】
すなわち、図１９及び図２０に示すように、前面側化粧部材７４０は、基体２０に着脱可能に設けられた略矩形の平板状をなす前面側化粧板部７４１と、該前面側化粧板部７４１に設けられた前面側物品載置部７４２とを有している。
【００８２】
前面側物品載置部７４２は、前面側化粧板部７４１から前方に突出するように略矩形の板状部材である載置本体７４３が上下方向に離間して複数設けられており、該載置本体７４３の上方に物品を載置可能としている。
【００８３】
図１９及び図２１に示すように、上面側化粧部材７６０は、基体２０に着脱可能に設けられた略矩形の平板状をなす上面側化粧板部７６１と、該上面側化粧板部７６１に設けられた上面側物品載置部７６２とを有している。
【００８４】
上面側物品載置部７６２は、上面側化粧板部７６１の右側、左側、後側からそれぞれ立設する右側立設壁部７６３と、左側立設壁部７６４と、後側立設壁部７６５と、右側立設壁部７６３、左側立設壁部７６４及び後側立設壁部７６５の上方に設けられた上壁部７６６とを有している。
これら右側立設壁部７６３、左側立設壁部７６４、後側立設壁部７６５及び上壁部７６６は、それぞれ板状部材で構成されている。
【００８５】
このようにして、本実施形態では上面側物品載置部７６２は、右側立設壁部７６３、左側立設壁部７６４並びに後側立設壁部７６５で囲まれた空間部７６７の内部、上壁部７６６の上方及び上面側化粧板部７６１の上方に物品を載置可能としている。
【００８６】
このように構成されたカウンター装置７０１では、例えば第一実施形態に係る前面側化粧部材４０及び天板パネル９０を、本実施形態に係る前面側化粧部材７４０及び上面側化粧部材７６０に変更することができる。よって、利用者の要望や配置変更に応じて、物品載置部４２，７４２，７６２の態様を変更することができるため、利便性が高い。
【００８７】
例えば、カウンター装置７０１を店舗における精算コーナーに設置した場合には、前面側に設けられた前面側化粧部材７４０に物品を見栄えよくかつ数多く陳列することができるため、外観を向上させることができるとともに使い勝手を良好とすることができる。
【００８８】
また、顧客が使用する物品を空間部７６７の内部、上壁部７６６の上方及び上面側化粧板部７６１の上方に載置することができるため、利便性を高めることができる。
【００８９】
また、上述した実施の形態において示した動作手順、あるいは各構成部材の諸形状や組み合わせ等は一例であって、本発明の主旨から逸脱しない範囲において設計要求等に基づき種々変更可能である。
【００９０】
例えば、上記の実施形態においては、基体２０は金属板を成形して構成されているが、金属板に限られず、強度のある木質部材等他の部材から構成されていてもよい。このような場合でも、基体でカウンター装置全体の剛性及び強度を確保して、化粧部材を該基体から着脱することで使用態様を容易に変更することができる。
【００９１】
また、上記の実施形態においては、基体２０を構成する連結部材５２，５３や脚体３０が板状部材で構成されているが、複数の管状部材を配設した構造であってもよい。この場合でも、カウンター装置の強度を基体で確保することができる。
【００９２】
また、カウンター構成要素としては、写真やポスター等を展示することができる展示部（不図示。以下同じ。）であってもよい。
展示部としては、例えば四方枠の枠部材で形成され、該四方枠で囲まれた空間内部に写真やポスター等を展示可能とする構成が挙げられる。
【００９３】
また、カウンター構成要素としては、文字や映像を映し出すモニターが設置されたモニター部（不図示。以下同じ。）であってもよい。
モニター部としては、例えば表面に情報表示部を有しており、電力及び情報の供給により該情報表示部に文字や映像の表示が可能となる構成が挙げられる。
【００９４】
また、カウンター装置１は、上記に示した小売店以外に、病院や、役所、空港等種々の店舗に設置可能である。
【００９５】
なお、図２２に示すように、基体２０を左右方向に２個配設して一体とし、該基体２０の前面側、側面側及び上面側を化粧部材８４０で覆う構成のカウンター装置８０１も可能である。
化粧部材８４０は、床面から立設する左右一対の立設部８４１と、該一対の立設部８４１を連結する連結部８４２とを有している。
【００９６】
例えば、第一実施形態に係るカウンター装置１からこのように構成されたカウンター装置８０１に使用態様を変更することは可能である。すなわち、カウンター装置１を左右方向に隣接させるとともに、前面側化粧部材４０、サイドパネル８０及び天板パネル９０と取り外して化粧部材８４０に交換することで可能となる。
【符号の説明】
【００９７】
１…カウンター装置
２０…基体
３０…脚体
４１…第一連結部材（連結部材）
４２…第二連結部材（連結部材）
４３…第三連結部材（連結部材）
４０…前側化粧部材（化粧部材）
４２…物品載置部（カウンター構成要素）
【図１】
0005934524.tif 000002
【図２】
0005934524.tif 000003
【図３】
0005934524.tif 000004
【図４】
0005934524.tif 000005
【図５】
0005934524.tif 000006
【図６】
0005934524.tif 000007
【図７】
0005934524.tif 000008
【図８】
0005934524.tif 000009
【図９】
0005934524.tif 000010
【図１０】
0005934524.tif 000011
【図１１】
0005934524.tif 000012
【図１２】
0005934524.tif 000013
【図１３】
0005934524.tif 000014
【図１４】
0005934524.tif 000015
【図１５】
0005934524.tif 000016
【図１６】
0005934524.tif 000017
【図１７】
0005934524.tif 000018
【図１８】
0005934524.tif 000019
【図１９】
0005934524.tif 000020
【図２０】
0005934524.tif 000021
【図２１】
0005934524.tif 000022
【図２２】
0005934524.tif 000023